(57)【要約】【課題】コンパクトかつ低コストで通帳の冊数を誤差なく計数することができる通帳プリンタおよび通帳発行装置を提供する。【解決手段】通帳に所定の情報を印刷して発行する通帳プリンタであって、通帳を蓄積可能な通帳蓄積部と、通帳蓄積部に蓄積されている通帳の重量を計測する重量計測部と、外部から通帳を繰り出す旨の指示を受けた場合において、繰り出し前に通帳蓄積部に蓄積されていた通帳の重量と繰り出し後に通帳蓄積部に蓄積された通帳の重量とに基づいて繰り出された通帳の重量を算出し、算出した繰り出された通帳の重量と繰り出し後に通帳蓄積部に蓄積された通帳の重量とに基づいて、繰り出し後に通帳蓄積部に蓄積されている通帳を計数する重量解析部と、を備える。【選択図】図２
2011118676.tif 000002
【特許請求の範囲】
【請求項１】
通帳に所定の情報を印刷して発行する通帳プリンタであって、
前記通帳を蓄積可能な通帳蓄積部と、
前記通帳蓄積部に蓄積されている前記通帳の重量を計測する重量計測部と、
外部から前記通帳を繰り出す旨の指示を受けた場合において、繰り出し前に前記通帳蓄積部に蓄積されていた前記通帳の重量と繰り出し後に前記通帳蓄積部に蓄積された前記通帳の重量とに基づいて繰り出された前記通帳の重量を算出し、算出した前記繰り出された通帳の重量と繰り出し後に前記通帳蓄積部に蓄積された前記通帳の重量とに基づいて、繰り出し後に前記通帳蓄積部に蓄積されている前記通帳を計数する重量解析部と、
を備えることを特徴とする通帳プリンタ。
【請求項２】
前記通帳を繰り出すためのローラ部を有する搬送部をさらに備え、
前記重量解析部は、外部から前記通帳を繰り出す旨の指示を受けた場合において、前記ローラ部を前記通帳蓄積部の最下部に当接させ、当接させた前記ローラ部を駆動させることによって、前記通帳蓄積部に蓄積された前記通帳のうち最下部の通帳を順次繰り出す、
ことを特徴とする請求項１に記載の通帳プリンタ。
【請求項３】
請求項１または２に記載の通帳プリンタを備えたことを特徴とする通帳発行装置。
【発明の詳細な説明】
【技術分野】
【０００１】
本発明は、通帳の冊数を自動で計数する通帳プリンタおよび通帳発行装置に関する。
【背景技術】
【０００２】
従来、通帳繰越機やＡＴＭ（Automated  Teller  Machine）等の装置においては、新規発行等の処理によって繰り出される通帳の冊数を計数する場合、センサ等によって通帳の厚みを検出し、検出された厚みをスキャナ等で読み取ったイメージ画像を解析することにより、その冊数を計数するものがある。あるいは、通帳綴じ目背山の凹凸をカウントすることによって、その冊数を計数するものがある（例えば、特許文献１、２）。
【先行技術文献】
【特許文献】
【０００３】
【特許文献１】特開２００８−２８２２８９号公報
【特許文献２】特開平０８−０７７２６８号公報
【発明の概要】
【発明が解決しようとする課題】
【０００４】
通常、これらの装置を使用して利用者が取引を行う場合、通帳の冊数の計数が正しく行われていないことによって、通帳の不足が生じた場合、直ちに取引が中止となってしまう場合等があるため、通帳の冊数の計数は、確実に行われる必要がある。
【０００５】
上述した特許文献１または特許文献２に開示された技術では、例えば、湿気等の水分を含んでいる場合、その厚みや凹凸に誤差が生じてしまう等、通帳に個体差がある場合には、カウントした通帳の冊数に誤差が生じてしまう場合がある（一般に、通帳の冊数をカウントする場合、６０冊に±２冊の割合で誤差が生じるといわれている）。
【０００６】
このような誤差を生じさせない場合、高精度のセンサやスキャナ等を備える必要があるが、上述した装置にこれらを適用して通帳の冊数を確実に計数する場合、装置自体が大きくなる等の物理的な制約があったり、あるいはコスト高となってしまうという問題があった。
【０００７】
本発明は、上記に鑑みてなされたものであって、コンパクトかつ低コストで通帳の冊数を誤差なく計数することができる通帳プリンタおよび通帳発行装置を提供することを目的とする。
【課題を解決するための手段】
【０００８】
上述した目的を達成するために、本発明にかかる通帳プリンタは、通帳に所定の情報を印刷して発行する通帳プリンタであって、前記通帳を蓄積可能な通帳蓄積部と、前記通帳蓄積部に蓄積されている前記通帳の重量を計測する重量計測部と、外部から前記通帳を繰り出す旨の指示を受けた場合において、繰り出し前に前記通帳蓄積部に蓄積されていた前記通帳の重量と繰り出し後に前記通帳蓄積部に蓄積された前記通帳の重量とに基づいて繰り出された前記通帳の重量を算出し、算出した前記繰り出された通帳の重量と繰り出し後に前記通帳蓄積部に蓄積された前記通帳の重量とに基づいて、繰り出し後に前記通帳蓄積部に蓄積されている前記通帳を計数する重量解析部と、を備えることを特徴とする。
【０００９】
また、本発明は、上記通帳プリンタを備えた通帳発行装置である。
【発明の効果】
【００１０】
本発明によれば、コンパクトかつ低コストで通帳の冊数を誤差なく計数することができる通帳プリンタおよび通帳発行機を提供することができる。
【図面の簡単な説明】
【００１１】
【図１】本発明の実施形態にかかる通帳プリンタの物理的な構成を示す図である。
【図２】図１に示した通帳プリンタの機能的な構成を示すブロック図である。
【図３】通帳ホッパの物理的な構成を示す図である。
【図４】通帳ホッパに蓄積された通帳のうち、最下部の通帳が繰り出される様子を示す図である。
【図５】通帳プリンタが通帳計数処理を行う場合の処理手順を示すフローチャートである。
【発明を実施するための形態】
【００１２】
以下に添付図面を参照して、この発明にかかる通帳プリンタの実施の形態を詳細に説明する。なお、以下では、通帳プリンタを１つの装置であるとして説明しているが、例えば、ＡＴＭ（Automated  Teller  Machine）等の通帳発行機能を有した自動取引装置（通帳発行装置）に通帳プリンタを組み込んで適用することも可能である。
【００１３】
図１は、本発明の実施形態にかかる通帳プリンタ１０００の物理的な構成を示す図である。図１に示すように、通帳プリンタ１０００は、通帳を搬送する搬送路２４１を有し、その搬送路２４１上には、搬送方向に対して左右に動くスライダ２７１が備えられている。そして、そのスライダ２７１上には、衝撃力発生装置(インパクトヘッド)２０４が搭載されている。衝撃力発生装置２０４と搬送路２４１との間には、顔料が塗布されているリボン２４２が配置され、通帳が後述する通帳ホッパ２５０から繰り出された場合に、種々の情報を印字する。なお、通帳ホッパ２５０の具体的な構成については後述する。
【００１４】
また、通帳を取り込むまたは排出する挿入排出口２０１と、通帳に貼り付けられた磁気ストライプの磁気情報を読み込むまたは書き込む磁気ヘッド２０３と、通帳の頁をめくる自動頁替え機構２０５と、通帳を搬送する搬送ローラ対群２１１〜２２０と、排出口２０１に隣接して配置され、通帳の挿入を検知する挿入口センサ２３０と、通帳の所定の位置に印字するための印字位置センサ２３２と、を含んで構成されている。
【００１５】
なお、ローラ対群２１１〜２２０のうち、ローラ２１９およびローラ２２０には電磁クラッチ２２１及び電磁クラッチ２２２が備えられている。電磁クラッチ２２１及び電磁クラッチ２２２は、後述する機構制御部５０４からの指示に応じてＯＮ状態またはＯＦＦ状態となり、これらの電磁クラッチ２２１及び電磁クラッチ２２２がＯＮ状態となった場合には搬送ローラ２１９〜２２０を搬送路２４１に接続し、ＯＦＦ状態となった場合にはこれらを搬送路２４１から切離す。そして、切り離された搬送ローラ２１９〜２２０を、通帳ホッパ２５０の最下部に接触（当接）させ、その後回転させることによって、通帳ホッパ２５０の最下部に収納されている通帳を順次繰り出すことができるようになっている。
【００１６】
図２は、図１に示した通帳プリンタ１０００の機能的な構成を示すブロック図である。図２に示すように、通帳プリンタ１０００は、図１に示した物理的な各部のほか、統合制御部１００１と、機構制御部１００２と、搬送モータ１００３と、印字モータ１００４と、印字制御部１００５と、衝撃力演算部１００６と、重量解析部１００７と、重量読取器３０３と、を含んでいる。
【００１７】
また、通帳プリンタ１０００の統合制御部１００１は、信号線５９２を介して、上位装置５０００（例えば、ＰＣ等の情報処理装置）から通帳に種々の情報を印字するためのデータを受信し、受信した情報を内部信号に置き換える。例えば、統合制御部１００１は、通帳に印字する文字列データ、印字するページを示すページデータ、あるいは印字するページ内部の位置を示す水平方向位置データや垂直方向位置データを上位装置から受信し、受信したこれら情報を、通帳に印字可能な内部信号に置き換える。
【００１８】
機構制御部１００２は、信号線５８１を介して上述した統合制御部１００１に接続され、統合制御部１００１からの指示にしたがって、搬送モータ１００２の駆動動作または停止動作を制御する。搬送モータ１００２は、駆動ベルト５７０を介してローラ対群２１１〜２２０を駆動させる。このように、ローラ対群２１１〜２２０が搬送モータ１００２によって駆動されることによって、図１に示した通帳ホッパ２５０に蓄積された通帳が搬送路２４１によって搬送される。
【００１９】
また、機構制御部１００２は、図１に示した挿入口センサ２３０や読取位置センサ２３１、あるいは印字位置センサ２３２を有効にしたり、印字モータ１００４の駆動操作や停止動作を制御する。なお、これらの各部は、信号線５８４〜５８８によって接続され、上述した各種の信号を送受信している。
【００２０】
印字モータ１００４は、衝撃力発生装置２０４に印字プーリ５７１を介して接続され、衝撃力発生装置２０４を搬送路２４１に対して左右に動作させる。そして、通帳の印字ページが満行になった場合、印字モータ１００４は、衝撃力発生装置２０４を搬走路２４１の搬送ローラ２１９及び２２０まで退避させる。
【００２１】
続いて、通帳ホッパ２５０について説明する。図３は、通帳ホッパ２５０の物理的な構成を示す図である。図３に示すように、通帳ホッパ２５０は、複数の通帳（図３に示した例ではＮ冊）を重ねて収納している。
【００２２】
上位装置５０００が通帳を新規に発行する指示を行った場合には、その指示にしたがって、統合制御部１００１および駆動モータ１００２を介して電磁クラッチ２２１等が動作し、ローラ２１９およびローラ２２０が回転することによって、通帳ホッパ２５０に蓄積された複数の通帳のうち、最下部の通帳から順次搬送路２４１に繰り出される。
【００２３】
図３に示すように、通帳ホッパ２５０の下部には重量読取器３０３が備えられ、通帳ホッパ２５０の内部に蓄積されたＮ冊の通帳は、押板３０１によって、その上方から凹圧された状態となっている。
【００２４】
そして、通帳ホッパ２５０の下部に接触（当接）したローラ２２１が電磁ローラ２１９によって回転されることによって、図４に示したように、蓄積された通帳のうち、最下部の通帳が繰り出される。図４に示した例では、最下部の通帳ｍ１のみが繰り出される様子を示しているが、あらかじめ複数の通帳ｎ冊の通帳（ｍ１、ｍ２、…、ｍｎ）を繰り出すように統合制御部１００２から指示された場合には、その指示にしたがって順次ｎ冊の通帳を繰り出すことも可能である。
【００２５】
続いて、上述した通帳プリンタ１０００が行う通帳計数処理について説明する。
【００２６】
図５は、通帳プリンタ１０００が通帳計数処理を行う場合の処理手順を示すフローチャートである。以下では、通帳プリンタ１０００が設置された店舗の係員が、上位装置５０００から、通帳ホッパ２５０に通帳を補充し、通帳ホッパ２５０内の通帳の冊数を確認するための重量計測指示を行ったものとする。このとき、通帳ホッパ２５０から１冊の通帳を計測用の通帳として繰り出すようになっている。
【００２７】
図５に示すように、まず、統合制御部１００１は、通帳ホッパ２５０内の通帳の冊数の重量を計測するように重量解析部１００７に指示し、その指に従って、重量解析部１００７は、重量読取器３０３を介して通帳ホッパ２５０内の通帳Ｎ冊の重量を計測し、その値（ａ）を統合制御部１００１内部の不図示のメモリに記憶する（ステップＳ１０１）。
【００２８】
その後、統合制御部１００１は、機構制御部１００２に対し、搬送モータ１００３を駆動する指示を行い、その指示に従って電磁クラッチ２２１等が動作し、ローラ２１９およびローラ２２０が回転することによって通帳ホッパ２５０内の最下部の通帳ｍ１を繰出し、挿入排出口２０１まで搬送される（ステップＳ１０２）。
【００２９】
統合制御部１００１は、その後、重量解析部１００７は、重量読取器３０３を介して、通帳ｍ１が搬送されたあとの通帳ホッパ２５０内の通帳（Ｎ―１）冊の重量を計測し、その値（ｂ）を統合制御部１００１内部の不図示のメモリに記憶する（ステップＳ１０３）。
【００３０】
その後、重量解析部１００７は、ステップＳ１０１およびステップＳ１０３で記憶された通帳の重量の差分（ａ―ｂ）、すなわち通帳１冊分の重量を算出し、算出したその差分をステップＳ１０２で繰り出した通帳の冊数で除することによって通帳１冊あたりの重量を算出し、さらにステップＳ１０３で算出した通帳（Ｎ―１）冊の重量を、算出した通帳１冊あたりの重量で除することによって、繰り出された以外の通帳ホッパ２５０に残っている通帳の冊数（ｃ）を算出する（ステップＳ１０４）。
【００３１】
なお、上述したステップＳ１０１〜Ｓ１０４では、繰り出される通帳の冊数が１冊である前提で説明しているが、ｎ冊の通帳を繰り出す場合もこれと同様に処理することが出来る。例えば、ステップＳ１０２においてｎ冊の通帳を繰り出した場合には、ステップＳ１０４で算出した差分（すなわち、通帳ｎ冊分の重量）を算出した後、算出した差分を、繰り出した通帳の冊数ｎで除することによって、１冊あたりの通帳の重量を算出し、その後、繰り出された以外の通帳ホッパ２５０に残っている通帳の冊数（Ｎ−ｎ）を算出する
ステップＳ１０４が終了すると、その後、統合制御部１００１は、算出した冊数（ｃ）を信号線５９２を介して、上位装置５０００に送信し、係員は、通帳ホッパ２５０にセットされた通帳の冊数を自動的に計測することができる。
【００３２】
このように、通帳に所定の情報を印刷して発行する通帳プリンタ１０００において、通帳ホッパ２５０が、通帳を蓄積し、重量読取器３０３が、通帳ホッパ２５０に蓄積されている通帳の重量を計測し、重量解析部１００７が、外部から通帳を繰り出す旨の指示を受けた場合において、繰り出し前に通帳ホッパ２５０に蓄積されていた通帳の重量と繰り出し後に通帳ホッパ２５０に蓄積された通帳の重量とに基づいて繰り出された通帳の重量を算出し、算出した繰り出された通帳の重量と繰り出し後に通帳ホッパ２５０に蓄積された通帳の重量とに基づいて、繰り出し後に通帳ホッパ２５０に蓄積されている通帳を計数するので、高精度のセンサやスキャナ等を備える必要がなく、コンパクトかつ低コストで通帳の冊数を誤差なく計数することができる。
【００３３】
なお、上述した実施の形態においては、係員は、通帳の重量計測指示を、通常の業務処理（例えば、新規口座開設に伴う通帳発行処理）とは異なる別の処理を行うものとして説明している。しかし、この場合には、通帳ホッパ２５０内の通帳の一部が計測用の通帳として繰り出され、無駄が生じてしまう。したがって、通帳計数処理を通常の業務処理の一部に組み入れ、通帳が発行される段階で通帳計数処理を行うことによって、そのような無駄を排除することとしてもよい。
【００３４】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【００３５】
１０００:通帳プリンタ、２０１：挿入排出口、２０３：磁気ヘッド、２０４：衝撃力発生装置、２０５：頁替機構、２１１〜２２０：搬送ローラ対群、２２１〜２２２：電磁クラッチ、２３０：挿入口センサ、２３２：印字位置センサ、２４１：搬送路、２４２：リボン、２５０：通帳ホッパ、２７１：スライダ、３０１：押板、３０３：重量読取器、５０００：上位装置、１００１：統合制御部、１００２：機構制御部、１００３:搬送モータ、１００４：印字モータ、１００５：印字制御部、１００６：衝撃力演算部、１００７：重量解析部、５７０：ベルト、５７１：印字プーリ、５８１〜５８９、５９０、５９２：信号線。
【図１】
2011118676.tif 000003
【図２】
2011118676.tif 000004
【図３】
2011118676.tif 000005
【図４】
2011118676.tif 000006
【図５】
2011118676.tif 000007